(57)【要約】【課題】ヘルメット使用者の視野が狭くなるのを防ぐことができるヘルメットマウントディスプレイ装置を提供する。【解決手段】表示素子７１と、この表示素子７１から出射された表示光をヘルメット３の使用者１１の目１１ｅに導くコンバイナ７２とを有するディスプレイ部７を、ヘルメット３に装着されるバイザ５に一体化した。【選択図】図１
2009092807.tif 000002
【特許請求の範囲】
【請求項１】
ヘルメットに装着されるバイザと、
表示素子と、この表示素子から出射された表示光を前記ヘルメットの使用者の目に導く光学系とを有するディスプレイ部とを備えているヘルメットマウントディスプレイ装置において、
前記ディスプレイ部が前記バイザに一体化されていることを特徴とするヘルメットマウントディスプレイ装置。
【請求項２】
前記ディスプレイ部の光学系が前記バイザの前面に貼付されていることを特徴とする請求項１記載のヘルメットマウントディスプレイ装置。
【請求項３】
前記ディスプレイ部の光学系が前記バイザに埋め込まれていることを特徴とする請求項１記載のヘルメットマウントディスプレイ装置。
【発明の詳細な説明】
【技術分野】
【０００１】
この発明はヘルメットに装着されて使用されるヘルメットマウントディスプレイ装置に関する。
【背景技術】
【０００２】
従来、ヘルメットの内側に配置されるヘルメットマウントディスプレイ装置がある（特開２０００−２８４２１４号公報）。このヘルメットマウントディスプレイ装置は表示装置とコンバイナとレンズとで構成されている。
【０００３】
表示装置は例えばＬＥＤ（発光ダイオード）、ＬＣＤ（液晶表示素子）等である。
【０００４】
コンバイナはヘルメット使用者の顔の前（ヘルメット使用者の目とバイザとの間）に配置される。
【０００５】
コンバイナは、ヘルメット使用者の前方の景色を見ることができるとともに、表示装置からの表示光をヘルメット使用者の目に反射させることができる。
【０００６】
レンズは波面変換機能を有し、表示画像をヘルメット使用者の目から所定の距離だけ離れた位置にあるように見せる。
【特許文献１】特開２０００−２８４２１４号公報
【発明の開示】
【発明が解決しようとする課題】
【０００７】
上記コンバイナを使用するには通常それを支持するための枠が必要であるが、その枠を採用するとヘルメット使用者の視野が狭くなるという問題が生じる。
【０００８】
この発明はこのような事情に鑑みてなされたもので、その課題はヘルメット使用者の視野が狭くなるのを防ぐことができるヘルメットマウントディスプレイ装置を提供することである。
【課題を解決するための手段】
【０００９】
前述の課題を解決するため請求項１の発明のヘルメットマウントディスプレイ装置は、ヘルメットに装着されるバイザと、表示素子と、この表示素子から出射された表示光を前記ヘルメットの使用者の目に導く光学系とを有するディスプレイ部とを備えているヘルメットマウントディスプレイ装置において、前記ディスプレイ部が前記バイザに一体化されていることを特徴とする。
【００１０】
請求項２の発明は、請求項１記載のヘルメットマウントディスプレイ装置において、前記ディスプレイ部の光学系が前記バイザの前面に貼付されていることを特徴とする。
【００１１】
請求項３の発明は、請求項１記載のヘルメットマウントディスプレイ装置において、前記ディスプレイ部の光学系が前記バイザに埋め込まれていることを特徴とする。
【発明の効果】
【００１２】
この発明によれば、ヘルメット使用者の視野が狭くなるのを防ぐことができる。
【発明を実施するための最良の形態】
【００１３】
以下、この発明の実施の形態を図面に基づいて説明する。
【００１４】
図１はこの発明の第１の実施形態に係るヘルメットマウントディスプレイ装置の使用状態を示す縦断面図、図２はその横断面図である。
【００１５】
このヘルメットマウントディスプレイ装置はいわゆるフルフェイス型のヘルメット３に装着されている。ヘルメット３の前部には窓３ａが形成されている。
【００１６】
ヘルメットマウントディスプレイ装置はバイザ５とディスプレイ部７とを備える。
【００１７】
バイザ５はヘルメット３に回転可能に取り付けられ、窓３ａを開閉する。バイザ５の左側部分には平面部５ａが形成されている。
【００１８】
ディスプレイ部７は表示素子７１とコンバイナ（光学系）７２とレンズ７３とを有する。
【００１９】
表示素子７１として例えばＬＣＤが用いられている。表示素子７１は図示しない表示制御装置に接続されている。表示制御装置は表示素子７１に表示する画像を作成する。また、表示素子７１は図示しない光源によって背後から照射される。
【００２０】
コンバイナ７２はプリズム７２ａとハーフミラー７２ｂとを有する。コンバイナ７２はヘルメット３の使用者１１の前方の外界光を透過することができるとともに、表示素子７１からの表示光をヘルメット使用者１１の目１１ｅに反射させることができる。
【００２１】
レンズ７３は、表示素子７１の表示画像をヘルメット使用者１１の目１１ｅから所定の距離だけ離れた位置にあるように見せる。
【００２２】
ディスプレイ部７のコンバイナ７２はバイザ５の前面（バイザ５の外側の面）の平面部５ａに貼付され、ディスプレイ部７はバイザ５と一体化している。
【００２３】
ディスプレイ部７をバイザ５に貼付する方法には、例えば無色透明な接着剤が用いられる。
【００２４】
表示素子７１から出射された表示光はレンズ７３を透過し、コンバイナ７２のプリズム７２ａに入射する。プリズム７２ａに入射した光はハーフミラー７２ｂで反射してヘルメット使用者１１の目１１ｅに入射する。
【００２５】
このとき、コンバイナ７２の厚さ方向へコンバイナ７２を透過した前方の外界光がレンズ７３を透過した表示光と重なり、ヘルメット使用者１１の目１１ｅに入射する。
【００２６】
その結果、ヘルメット使用者１１は表示素子７１に表示された情報をあたかも所定距離離れた景色の中に浮かび上がった状態で見ることができる。
【００２７】
この実施形態によれば、ディスプレイ部７をバイザ５の前面に貼付することによってバイザ５と一体化したので、ディスプレイ部７をバイザ５に固定するためのフレームが不要となる。その結果、ヘルメット使用者１１の視野が狭くなるのを防ぐことができる。
【００２８】
また、ヘルメット使用者１１の顔１１ｆとディスプレイ部７との接触を避けるための空間を確保するために顔１１ｆとヘルメット３との間隔を広げる必要が無いので、ヘルメット３の大型化を防止することができる。
【００２９】
更に、ディスプレイ部７がヘルメット３内に突出しないので、ヘルメット３に衝撃が加わったときのヘルメット使用者１１の安全性を確保することができる。
【００３０】
また、ディスプレイ部とバイザとが分離したヘルメットマウントディスプレイ装置に較べ、ディスプレイ部７の塵等が付着する面が少なくなり、シースルー性（ヘルメット使用者１１の前方の景色の見やすさ）が高い。
【００３１】
更に、ディスプレイ部７をバイザ５の平面部５ａに貼付したので、ディスプレイ部７の貼付強度が高い。
【００３２】
また、コンバイナ７２を用いたので、シースルー性が高い。
【００３３】
なお、第１の実施形態では、バイザ５に平面部５ａを形成したが、必ずしもバイザ５に平面部５ａを形成する必要はない。
【００３４】
第１の実施形態では、ディスプレイ部７をバイザ５の前面に貼付したが、第１の実施形態の変形例としてディスプレイ部７をバイザ５の後面に貼付したものが考えられる。
【００３５】
この変形例によれば、ディスプレイ部７をバイザ５の後面に貼り付けるようにしたので、ディスプレイ部７をバイザ５に固定するためフレームを必要とせず、また、ディスプレイ部７とバイザ５とが密着し、ディスプレイ部７とバイザ５との間に隙間が生じない。
【００３６】
図３はこの発明の第２の実施形態に係るヘルメットマウントディスプレイ装置の使用状態を示す縦断面図、図４はその斜視図である。
【００３７】
第１の実施形態と共通する部分については同一符号を付してその説明を省略する。以下、主な相違部分についてだけ説明する。
【００３８】
第１の実施形態では、ディスプレイ部７をバイザ５に貼付することによってディスプレイ部７をバイザ５に一体化してあるが、第２の実施形態では、ディスプレイ部７をヘルメット３に装着されたバイザ２０５に埋め込むことによって一体化した。
【００３９】
バイザ２０５の左側部分の上部には切欠き２０５ｂが形成されている。バイザ２０５にはディスプレイ部７を固定するための平面部が形成されていない。切欠き２０５ｂ内にディスプレイ部７を固定する方法としては、切欠き２０５ｂに嵌め込まれるディスプレイ部７をバイザ２０５に接着剤で固定する方法や、ディスプレイ部７を切欠き２０５ｂに圧入する方法等がある。
【００４０】
第２の実施形態によれば、第１の実施形態と同様の作用効果を生じる。
【００４１】
なお、第２の実施形態では、ディスプレイ部７の一部（ＬＣＤ７１）を残してバイザ２０５に埋め込んでいるが、ディスプレイ部７の全体をバイザ２０５に埋め込むようにしてもよい。
【００４２】
また、上述の実施形態のヘルメット３はフルフェイス型であるが、ヘルメットはフルフェイス型に限られない。
【００４３】
なお、表示素子７１としては、ＬＣＤの他に小型ＣＲＴ等がある。
【００４４】
また、光学系としてはコンバイナ７２に限られない。
【図面の簡単な説明】
【００４５】
【図１】図１はこの発明の第１の実施形態に係るヘルメットマウントディスプレイ装置の使用状態を示す縦断面図である。
【図２】図２はその横断面図である。
【図３】図３はこの発明の第２の実施形態に係るヘルメットマウントディスプレイ装置の使用状態を示す縦断面図である。
【図４】図４はその斜視図である。
【符号の説明】
【００４６】
３：ヘルメット、５，２０５：バイザ、７：ディスプレイ部、７１：表示素子、７２：コンバイナ（光学系）、１１：使用者、１１ｅ：目。
【図１】
2009092807.tif 000003
【図２】
2009092807.tif 000004
【図３】
2009092807.tif 000005
【図４】
2009092807.tif 000006